(57)【特許請求の範囲】
【請求項１】
回転可能に支持された実質的に円盤状の回転陽極ディスクを有する回転陽極型のＸ線管であって、
前記回転陽極ディスクは陽極ターゲットを有し、前記陽極ターゲットは当該陽極ターゲットの表面に入射する電子ビームに晒された時にＸ線を放射し、前記回転陽極ディスクは少なくとも２つの陽極ディスクセグメントに分割されており、前記陽極ディスクセグメントの各々は、前記回転陽極ディスクの回転軸に垂直な平面に対して異なる鋭角だけ傾斜された円錐面を有することにより、それ自身の焦点軌道幅を有し、
当該Ｘ線管は更に、
所与の１つの傾斜角を有する陽極ディスクセグメントに前記電子ビームが突き当たる時にのみスイッチオン状態を取るデューティサイクルを、前記電子ビームが有するように、前記電子ビームをパルス化する制御ユニット
を有する、
Ｘ線管。
【請求項２】
前記電子ビームをパルス化するのに必要なパルスシーケンスに陽極回転の位相を同期化する同期化手段、を有する請求項１に記載のＸ線管。
【請求項３】
前記回転陽極ディスクは、等しい角度サイズの多数の陽極ディスクセグメントに分割されている、請求項１又は２に記載のＸ線管。
【請求項４】
当該Ｘ線管の前記回転陽極ディスクの前記陽極ターゲット上の焦点スポットの位置に前記電子ビームを集める少なくとも１つの集束ユニットと、
所与の公称焦点スポットサイズに対する前記焦点スポットのサイズの変動が補償されるように、前記焦点スポットの集束を調整する集束制御ユニットと
を有する請求項１乃至３の何れか一項に記載のＸ線管。
【請求項５】
前記電子ビームを前記回転陽極ディスクの半径方向に逸らす電界及び／又は磁界を生成する少なくとも１つの偏向ユニットと、
それぞれの前記陽極ディスクセグメントの傾斜角に依存する所与の幅の円形焦点軌道上の公称焦点スポット位置に対する焦点スポット位置の変動が補償されるように、前記電界及び／又は磁界の強度及び／又は符号を調整する偏向制御ユニットと
を有する請求項１乃至４の何れか一項に記載のＸ線管。
【請求項６】
前記制御ユニットは、視覚化すべき関心領域の大きさに応じて、前記関心領域を完全に照射するのに必要な最小の取り得る傾斜角を有する陽極ディスクセグメントのみが前記電子ビームに晒されるように、前記電子ビームをパルス化するように適応されている、請求項１乃至５の何れか一項に記載のＸ線管。
【請求項７】
回転可能に支持されたマルチターゲット陽極を有する回転陽極型のＸ線管であって、
前記マルチターゲット陽極は、複数の異なる陽極ターゲットから、それぞれの陽極ターゲットの表面に入射する電子ビームに晒された時にＸ線を放射し、前記マルチターゲット陽極は、前記回転陽極の回転軸に垂直な平面に対して相異なる傾斜角だけ傾斜された多数の円錐陽極セグメントを有するマルチセグメント構造の回転体によって与えられる幾何学形態を有し、各陽極ターゲットは、それ自身の焦点軌道幅を有し、且つそれ自身の前記円錐陽極セグメントの傾斜角及びＸ線ビームの開口角によって与えられるそれ自身のサイズの視野を有する扇状Ｘ線ビームを放射し、
当該Ｘ線管は更に、
前記電子ビームが所与の１つの傾斜角を有する円錐陽極セグメントのみに突き当たるように前記電子ビームを前記回転マルチターゲット陽極の半径方向に逸らす電界及び／又は磁界を生成する少なくとも１つの偏向ユニットと、
それぞれの前記陽極ディスクセグメントの傾斜角に依存する所与の幅の円形焦点軌道上の公称焦点スポット位置に対する焦点スポットの位置の変動が補償されるように、前記電界及び／又は磁界の強度及び／又は符号を調整する偏向制御ユニットと
を有する、
Ｘ線管。
【請求項８】
当該Ｘ線管の前記回転マルチターゲット陽極の陽極ターゲット上の焦点スポットの位置に前記電子ビームを集める少なくとも１つの集束ユニットと、
所与の公称焦点スポットサイズに対する前記焦点スポットのサイズの変動が補償されるように、前記焦点スポットの集束を調整する集束制御ユニットと
を有する請求項７に記載のＸ線管。
【請求項９】
前記少なくとも１つの集束ユニット及び前記少なくとも１つの偏向ユニットは、それぞれ、結合された多極集束及び偏向電極システムとして、且つ／或いは結合された多極集束及び偏向コイル若しくは磁石システムとして実現されている、請求項８に記載のＸ線管。
【請求項１０】
請求項１乃至９の何れか一項に記載の回転陽極型のＸ線管を有するＸ線スキャナシステム。
【発明の詳細な説明】
【技術分野】
【０００１】
本発明は、出力定格が向上された撮像用のＸ線管に関し、より具体的には、回転陽極（ロータリーアノード）型のＸ線源を用いるＸ線に基づくスキャナシステム用のマルチセグメント陽極ターゲットであって、２つ以上の陽極ディスクセグメントに分割され、各陽極ディスクセグメントが、回転陽極の回転軸に垂直な平面に対して、それ自身の傾斜角を有するような、陽極ターゲットに関する。回転陽極の傾斜された表面に入射する電子ビームは、より小さい傾斜角を有する陽極ディスクセグメントが当該電子ビームを通る時にスイッチオン状態にあるようにパルス化される。逆に、電子ビームは、より大きい傾斜角を有する陽極ディスクセグメントが当該電子ビームを通る時、スイッチオフ状態にされる。
【背景技術】
【０００２】
従来の高出力Ｘ線管は、典型的に、加熱電流すなわちフィラメント電流を通す陰極（カソード）フィラメントを保持した真空チャンバを有している。この陰極と、該真空チャンバ内に配置された陽極との間に、通常１００ｋＶと２００ｋＶとの間程度である高電位が印加される。この電位は、管電流すなわち電子ビームが真空チャンバの内部の真空領域を通って陰極から陽極へと流れることを引き起こす。そして、電子ビームは、Ｘ線を生成するのに十分なエネルギーで、陽極の小さい領域すなわち焦点スポットに突き当たる。陽極は典型的に、例えばタングステン、モリブデン、パラジウム、銀又は銅などの金属からなる。電子が陽極ターゲットに到達すると、そのエネルギーの大部分は熱エネルギーに変換される。エネルギーの小さい部分がＸ線光子に変換され、該Ｘ線光子が、陽極ターゲットから放射されてＸ線ビームを形成する。
【０００３】
今日において、高出力Ｘ線源の最も重大な出力制限要因の１つは、陽極材料の溶融温度（融点）である。同時に、撮像システムの高い空間分解能のために小さい焦点スポットが必要とされ、それにより、非常に高いエネルギー密度が焦点スポットに生じる。残念ながら、このようなＸ線源に印加される電力の大部分は熱に変換される。電子ビームパワーからＸ線パワーへの変換効率は、最大でおよそ１％と２％との間であるが、多くの場合はそれより低い。従って、高出力Ｘ線源の陽極は、特に焦点（およそ数平方ｍｍの範囲の領域）内で、特別な熱管理手段が用いられない場合には管（チューブ）の破壊につながるような極めて大きい熱負荷を担っている。故に、効率的な熱放散が、最新の高出力Ｘ線源の開発において直面している最大の課題に相当する。Ｘ線陽極に一般的に使用されている熱管理技術には、
−  非常に高い温度に耐えることが可能な材料を用いること、
−  真空のチューブから外へ熱を輸送することが困難なとき、多量の熱を蓄積することが可能な材料を用いること、
−  陽極のうちの小さい角度を用いることによって、光学的な焦点を大きくすることなく、熱的に有効な焦点スポット面積を大きくすること、及び
−  陽極を回転させることによって、熱的に有効な焦点スポット面積を大きくすること
がある。
【０００４】
大きい冷却能力を有する高出力Ｘ線源を別にすれば、移動する陽極（例えば、回転陽極）を備えたＸ線源を用いることは非常に効果的である。回転陽極型のＸ線源は、静止した陽極と比較して、焦点スポットで生成された熱エネルギーが迅速に分散されることにより、陽極材料にダメージを与えること（例えば、溶融又はクラック生成）が回避されるという利点をもたらす。このことは、より広い検出器のカバレッジによって最新のＣＴシステムにおいて典型的に３０秒から３秒へと短縮されている短いスキャン時間での、出力の増大を可能にする。電子ビームに対する焦点軌道の速度が高いほど、電子ビームがそのパワーを同一の小さい材料容積に与える時間が短くなり、ひいては、生じるピーク温度が低くなる。
【０００５】
高い焦点軌道速度は、大きい半径（例えば、１０ｃｍ）を有する回転ディスクとして陽極を設計し、該ディスクを高い周波数（例えば、１５０Ｈｚより高く）で回転させることによって達成される。しかしながら、陽極はこの時、真空中で回転しているので、チューブ外包（エンベロープ）の外側への熱エネルギーの伝達は、静止陽極にて使用される液体冷却ほど効率的ではない輻射に概して頼るものである。故に、回転陽極は、高い熱蓄積容量と、陽極とチューブエンベロープとの間での良好な放射熱交換とのために設計される。回転アノードに付随する別の難しさは、真空下での軸受（ベアリング）システムの動作、及び陽極の高温の破壊力に対する該システムの保護である。初期の回転陽極Ｘ線源では、陽極の限られた熱蓄積容量が、高いチューブ性能に対する主な障害であった。これは、新技術の導入に伴って変わりつつある。例えば、陽極にろう付けされたグラファイトブロックは、熱蓄積容量及び熱放散を著しく高めるものと予測され得るものであり、液体陽極ベアリングシステム（滑り軸受）は、周囲の冷却オイルに熱伝導性を与え得るものであり、また、回転するエンベロープチューブを設けることは、回転陽極の裏面側での直接的な液体冷却を可能にする。
【０００６】
Ｘ線撮像システムが高速移動物体を描写するために使用される場合、典型的に、動きアーチファクトの発生を回避するために高速画像生成が要求される。一例はヒトの心筋層のＣＴスキャン（心臓ＣＴ）であり、この場合、高い分解能且つ例えば１００ｍｓ（心サイクル中の心筋層が静止している期間内を意味する）より小さい範囲内での高いカバレッジで、心臓のフルスキャンを実行することが望ましい。しかしながら、高速画像生成はＸ線源に高いピーク出力性能を要求する。
【発明の概要】
【発明が解決しようとする課題】
【０００７】
本発明は、従来の回転陽極型Ｘ線管の達成可能な出力定格を、検査される関心領域を視覚化する所望の視野の角度サイズに応じて最適化する助けとなる、新たな回転陽極の設計概念を提供することを目的とする。
【課題を解決するための手段】
【０００８】
上記課題に鑑み、本発明の第１の典型的な実施形態は、陽極ターゲットの表面に入射する電子ビームに晒された時にＸ線を放射する陽極ターゲットを備えた、回転可能に支持された実質的に円盤状の回転陽極ディスクを有する回転陽極型のＸ線管に関する。本発明により提案されるように、回転陽極ディスクは少なくとも２つの陽極ディスクセグメントに分割されており、陽極ディスクセグメントの各々は、回転陽極ディスクの回転軸に垂直な平面に対して異なる鋭角（ここでは、“傾斜角”又は“陽極角”と称する）だけ傾斜された円錐面を有することにより、それ自身の焦点軌道幅を有する。好ましくは、例えば、回転陽極ディスクは、等しい角度サイズの多数の陽極ディスクセグメントに分割されることが予見され得る。
【０００９】
高速移動物体（例えば心筋層など）を視覚化するＸ線又はＣＴ撮像システム用途の領域で適用されるとき、その物体の動きをフリーズさせるために、回転陽極型のＸ線管によって放射されるＸ線ビームをパルス化する必要がある。故に、パルス幅Ｔｐ（望ましくは、Ｔｐ＝３〜７ｍｓ）は通常、典型的に１５ｍｓのレンジである回転陽極の回転周期Ｔｒの半分より短い。本発明に従ったＸ線管は、故に、所与の角度範囲内の傾斜角を有する選択可能な陽極ディスクセグメントに、あるいはそれら陽極ディスクセグメントのうちの選択可能な組内の何れか１つに電子ビームが突き当たる時にのみスイッチオン状態を取るデューティサイクルを電子ビームが有するように、電子ビームをパルス化する制御ユニットを有していてもよい。換言すれば、電子ビームは、選択された陽極セグメントを通る時のみアクティブである。電子ビームをパルス化するのに必要なパルスシーケンス（パルス列）に陽極回転の位相を同期化させるため、同期化手段が設けられてもよい。
【００１０】
本発明によれば、上述のＸ線管は更に、当該Ｘ線管の回転陽極ディスクの陽極ターゲット上の焦点スポットの位置に電子ビームを集める少なくとも１つの集束ユニットと、所与の公称焦点スポットサイズに対する焦点スポットサイズの変動が補償されるように焦点スポットの集束を調整する集束制御ユニットとを有していてもよい。
【００１１】
また、上記Ｘ線管は、電子ビームを回転陽極ディスクの半径方向に逸らす電界及び／又は磁界を生成する少なくとも１つの偏向ユニットと、それぞれの陽極ディスクセグメントの傾斜角に依存する所与の幅の円形焦点軌道上の公称焦点スポット位置に対する焦点スポット位置の変動が補償されるように、電界及び／又は磁界の強度及び／又は符号を調整する偏向制御ユニットとを有していてもよい。
【００１２】
有利には、上記制御ユニットは、視覚化すべき関心領域の大きさに応じて、関心領域を完全に照射するのに必要な最小の取り得る傾斜角を有する陽極ディスクセグメント（及び、故に、取り得る最大の出力定格を生じさせる陽極ディスクセグメント）のみが電子ビームに晒されるように、電子ビームをパルス化するように適応され得る。
【００１３】
電子ビームのパルスシーケンスを制御することは、故に、所望の視野の角度サイズに応じた最小の取り得る傾斜角を有する焦点スポット軌道の最適なセグメントを選択することを可能にし、最大の光子束（故に、最大の輝度の焦点スポットを生じさせる）及び最大化された出力定格を達成する助けとなる。本発明の利点は、従来技術から知られる従来の回転陽極と比較して、画像の品質が向上されることにある。
【００１４】
本発明の第２の典型的な実施形態は、複数の異なる陽極ターゲットのうちの個々の１つの表面に入射する電子ビームに晒された時にＸ線を放射する回転可能に支持されたマルチターゲット陽極を有する回転陽極型のＸ線管に関する。この実施形態によれば、マルチターゲット陽極は、当該回転陽極の回転軸に垂直な平面に対して相異なる傾斜角だけ傾斜された複数の円錐陽極セグメントを有するマルチセグメント構造の回転体によって与えられる幾何学形態を有し、各陽極ターゲットは、それ自身の焦点軌道幅を有し、且つそれ自身の円錐陽極セグメントの傾斜角及びＸ線ビームの開口角によって与えられるそれ自身のサイズの視野を有する扇状Ｘ線ビームを放射する。
【００１５】
第１の典型的な実施形態と同様に、このＸ線管は、当該Ｘ線管の回転マルチターゲット陽極の陽極ターゲット上の焦点スポットの位置に電子ビームを集める少なくとも１つの集束ユニットと、所与の公称焦点スポットサイズに対する焦点スポットサイズの変動が補償されるように、焦点スポットの集束を調整する集束制御ユニットとを有していてもよい。
【００１６】
それに加えて、電子ビームを回転マルチターゲット陽極の半径方向に逸らす電界及び／又は磁界を生成する少なくとも１つの偏向ユニットと、それぞれの陽極ディスクセグメントの傾斜角に依存する所与の幅の円形焦点軌道上の公称焦点スポット位置に対する焦点スポット位置の変動が補償されるように、電界及び／又は磁界の強度及び／又は符号を調整する偏向制御ユニットとが設けられてもよい。上記少なくとも１つの集束ユニット及び上記少なくとも１つの偏向ユニットは、それぞれ、結合された多極集束及び偏向電極システムとして、且つ／或いは結合された多極集束及び偏向コイル若しくは磁石システムとして実現されてもよい。
【００１７】
本発明の第３の典型的な実施形態は、第１又は第２の典型的な実施形態を参照して説明した回転陽極型Ｘ線管を有するＸ線スキャナシステムに関する。
【図面の簡単な説明】
【００１８】
本発明の上記及びその他の有利な態様は、例として以下に記載される実施形態に関して、また以下を含む添付の図面を参照して明らかになる。
【図１】従来技術から既知の従来の回転陽極に基づくＸ線管を３次元的に示す図である。
【図２】入射電子ビームの方向に垂直な平面に対して傾斜された陽極のＸ線放射面上の陽極ターゲットの焦点スポットに入射する電子ビームに晒されたときの、回転陽極によって放射されるＸ線ビームの角度的な放射場サイズに対する、陽極の傾斜角の影響を示す模式図である。
【図３】得られる視野の角度サイズ、物理的な焦点軌道の幅、及び達成可能な出力定格に対する回転陽極の傾斜角の影響を示す２つの模式図を含む図である。
【図４】本発明の第１の典型的な実施形態に従ったＸ線源の回転陽極を示す図であり、回転陽極が２つ以上の陽極ディスクセグメントに分割され、陽極ディスクセグメントの各々が、回転陽極の回転軸に垂直な平面に対して、それ自身の傾斜角を有している。
【図５】本発明の第２の典型的な実施形態に従ったＸ線源の回転マルチターゲット陽極を示す図であり、回転陽極は、回転陽極の回転軸に垂直な平面に対して相異なる傾斜角だけ傾斜された多数の円錐陽極セグメントを有するマルチセグメント構造の回転体によって与えられる幾何学形態を有している。
【発明を実施するための形態】
【００１９】
以下、添付図面を参照しながら、特別な改良に関して、本発明の典型的な一実施形態に従ったＸ線管の回転陽極ターゲットを詳細に説明する。
【００２０】
Ｘ線管の陽極の焦点スポットは、陽極の周りの半球領域にＸ線を放射する。図１は、回転シャフト１０３に固定的に取り付けられて回転可能に支持された陽極を備えた従来技術から既知の従来の回転陽極型の従来のＸ線管を３次元的に示しており、図１から分かるように、陰極１０４によって放出された電子ビームに晒されたときに回転陽極１０２の陽極ターゲットによって放射されるＸ線ビームは、陽極シャドウ、Ｘ線管の放射ポート、チューブ筐体１０１の放射ポート、及び付加的な開口のブレードによって制限され得る。
【００２１】
放射されるＸ線ビームの放射場への陽極傾斜角の影響は、図２から得ることができる。この図に示されるように、Ｘ線の光学焦点スポット１０６は、視角νを小さくすると明るく見える。故に、視角ν及び傾斜角αは最小にされるべきである。半影（penumbra）効果及びビームハードニング効果により、使用可能な放射場角βは、１°の最小角度及び５°の“制限（reserve）”角度Ψに制限される。Ｘ線管の焦点スポットの熱負荷能力及び輝度の比は、最小の傾斜角αの場合に最適である。これは、熱負荷能力及び輝度の比は傾斜角に反比例するという事実に起因する。得られる視野の円錐ビーム角βによって与えられる角度範囲を有する対称的な放射場では、傾斜角αは、式α＝β／２＋Ψに従って設計されなければならない。
【００２２】
得られる視野の角度サイズβ、物理的な焦点軌道の幅、及び達成可能な出力定格に対する陽極の傾斜角αの影響は、図３に示す２つの説明図３００ａ及び３００ｂから得ることができる。小さい傾斜角αは小さい視野、広い物理的な焦点軌道、及び高い出力定格をもたらし、大きい傾斜角αは上述のパラメータに逆の影響を及ぼす。故に、Ｘ線の光学焦点スポットは、視角νを小さくすると明るく見える。これは、焦点スポットの輝度は視角に反比例するという事実に起因する。Ｘ線管の焦点スポットの熱負荷能力及び輝度の比は、最小の陽極傾斜角αの場合に最適である。従って、α及びνは可能な限り小さくされるべきである。しかしながら、複数の異なる視角を有するマルチターゲット構成を使用する現行の回転陽極型Ｘ線源においては、陽極傾斜角は常に最適なわけではない。周知の従来技術に係る解決策は、チューブ又はその一部を傾けることであるが、その場合、そのような傾斜運動を実現するための付加的な機械部品が必要とされる。
【００２３】
図４は、本発明の第１の典型的な実施形態に従ったＸ線源の回転陽極１０２を示す図であり、回転陽極１０２は２つ以上の陽極ディスク区画（セグメント）１０２ａ及び１０２ｂに分割され、これらの陽極ディスクセグメントの各々は、回転陽極の回転軸１０３ａに垂直な平面に対して、それ自身の傾斜角を有している。回転陽極の傾斜された表面に入射する電子ビーム１０５ａは、より小さい傾斜角を有する陽極ディスクセグメント（すなわち、陽極ディスクセグメント１０２ｂ）が当該電子ビームを通る時にスイッチオン状態にあるようにパルス化される。逆に、電子ビームは、より大きい傾斜角を有する陽極ディスクセグメント（すなわち、陽極ディスクセグメント１０２ａ）が当該電子ビームを通る時、スイッチオフ状態にされる。陽極ターゲット１０２’の傾斜された陽極表面上の太いストライプの円弧は、陽極の焦点軌跡１０６ｂ上の加熱領域を表す。
【００２４】
図５は、本発明の第２の典型的な実施形態に従ったＸ線源の回転可能に支持されたマルチターゲット陽極１０８を示しており、回転陽極１０８は、当該回転陽極の回転軸に垂直な平面に対して相異なる傾斜角だけ傾斜された多数の円錐陽極セグメントを有するマルチセグメント構造の回転体によって与えられる幾何学形態を有している。このようなシステム構成を用いることにより、各陽極ターゲット（図５においては、相異なる陽極セグメントの表面の２つの陽極ターゲット１０８ａ及び１０８ｂに関して例証されている）がそれ自身の焦点軌道幅（図５において、それぞれ参照符号１１１ａ又は１１１ｂ）を有し、且つそれ自身の円錐陽極セグメントの傾斜角及びＸ線ビームの開口角によって与えられるそれ自身のサイズの視野（それぞれ、参照符号１１２ａ及び１１２ｂで指し示す）を有する扇状のＸ線ビームを放射することができる。陰極１０４によって放出された電子ビーム１０５を、Ｘ線管の回転マルチターゲット陽極１０８の陽極ターゲット（例えば、陽極ターゲット１０８ａ又は１０８ｂ）上の焦点スポットの位置（例えば、焦点スポット１１１ａ又は１１１ｂの何れか一方の位置）に集めるため、集束（フォーカシング）ユニット１１０ａが用いられる。集束ユニット１１０ａの動作を制御する集束制御ユニットが、所与の公称焦点スポットサイズに対する焦点スポットサイズの変動が補償されるように、焦点スポット（１１１ａ又は１１１ｂ）の集束を調整するよう機能する。図示したシステム構成は更に、電子ビーム１０５を回転マルチターゲット陽極１０８の半径方向に逸らす電界及び／又は磁界を生成する偏向ユニット１１０ｂを有し得る。偏向ユニット１１０ｂの動作を制御する偏向制御ユニットが、それぞれの陽極セグメントの傾斜角に依存する所与の幅の円形焦点軌道上の所与の公称焦点スポット位置に対する焦点スポット位置の変動が補償されるように、電界及び／又は磁界の強度及び／又は代数符号を調整するために使用される。少なくとも１つの集束ユニット１１０ａ及び少なくとも１つの偏向ユニット１１０ｂが、それぞれ、結合された多極集束及び偏向電極システムとして、且つ／或いは結合された多極集束及び偏向コイル若しくは磁石システムとして実現されてもよい。斯くして、物理的な焦点軌道幅は、収集される２Ｄ投影画像の投影面に投影される所要の光学焦点スポットサイズに調整される。
【００２５】
上述の集束ユニットを用いるとき、焦点スポットの長さ及び幅は独立に、連続的に調整されることができる。上述のシステム構成は更に、偏向ユニットにより、焦点スポットの半径位置を自由に調整することを可能にする。これは、従来技術において採用されている静電集束素子を用いては事実上不可能なことである。
【００２６】
本発明の用途
本発明は、例えばトモシンセシス、Ｘ線又はＣＴの適用範囲など、回転陽極型のＸ線管を用いたＸ線スキャナに基づく如何なるＸ線撮像用途の分野において用いられてもよい。本発明は、特に、例えばＸ線に基づく材料検査の分野、又は特に心臓ＣＴ若しくは高速移動物体（例えば、心筋層）の画像データを収集する高性能Ｘ線撮像用途といった医用撮像の分野など、高いピークパワーでの高速収集が必要とされる適用状況で使用され得る。ここで提案されたＸ線スキャナ装置は医療現場に属するものとして説明されたが、本発明の利益は、例えば、これに限られないが、空港若しくはその他の種類の輸送センターで使用される荷物スキャンシステムなど、典型的に産業又は輸送の現場で用いられるシステムといった、非医用撮像システムにも当てはまる。
【００２７】
図面及び以上の説明にて本発明を詳細に図示し説明した。しかしながら、ここでの図示及び説明は、限定的なものではなく、例示的あるいは典型的なものと見なされるべきである。すなわち、本発明は開示した実施形態に限定されるものではない。請求項に係る発明を実施しようとする当業者は、本願の図面、明細書及び特許請求の範囲を検討することにより、開示した実施形態へのその他の変形を理解し、実現することができる。請求項において、用語“有する”はその他の要素又はステップを排除するものではなく、不定冠詞“ａ”又は“ａｎ”は複数であることを排除するものではない。また、請求項中の如何なる参照符号も、本発明の範囲を限定するものとして解釈されるべきではない。
【符号の説明】
【００２８】
１００  従来技術から知られた従来の回転陽極に基づくＸ線管の３次元図
１０１  Ｘ線管１００の真空筐体
１０２  回転陽極ディスクの回転軸（１０３ａ）に垂直な平面に対して相異なる鋭角αだけ傾斜された円錐面を各陽極ディスクセグメントが有する少なくとも２つの陽極（アノード）ディスクセグメント（１０２ａ及び１０２ｂ）に分割された、本発明の第１の典型的な実施形態に従った回転陽極ディスク
１０２’  回転陽極ディスク１０２のＸ線放射面（ここでは、“陽極ターゲット”とも称する）
１０２ａ  回転陽極ディスク１０２の回転軸１０３ａに垂直な平面に対して第１の傾斜角を有する第１の陽極ディスクセグメント（描写された２つの陽極ディスクセグメント１０２ａ及び１０２ｂのうち、より大きい傾斜角を有する陽極ディスクセグメント）
１０２ｂ  回転陽極ディスク１０２の回転軸１０３ａに垂直な平面に対して第２の傾斜角を有する第２の陽極ディスクセグメント（描写された２つの陽極ディスクセグメント１０２ａ及び１０２ｂのうち、より小さい傾斜角を有する陽極ディスクセグメント）
１０３  回転可能に支持される回転陽極ディスクが固定的に取り付けられる回転シャフト
１０３ａ  回転陽極ディスク１０２の回転軸
１０４  陽極ターゲット１０２’が晒される電子ビーム１０５を放出する陰極（カソード）
１０４ａ  Ｘ線管の回転陽極ディスク１０２の陽極ターゲット１０２’上の焦点スポット１０６の位置に電子ビーム１０５ａを集め、且つ／或いは回転陽極ディスク１０２の半径方向に電子ビーム１０５ａを逸らすための電界及び／又は磁界を生成する結合された集束・偏向ユニット
１０５  陰極１０４によって放出される電子ビーム
１０５ａ  陰極１０４によって放出される電子ビーム１０５のパルスシーケンス
１０６  Ｘ線管の回転陽極ディスク１０２の陽極ターゲット１０２’上の焦点スポット位置
１０６ａ  描写された２つの陽極ディスクセグメント１０２ａ及び１０２ｂのうち、より大きい傾斜角を有する陽極ディスクセグメント１０２ａ上の、存在しない焦点軌道
１０６ｂ  描写された２つの陽極ディスクセグメント１０２ａ及び１０２ｂのうち、より小さい傾斜角を有する陽極ディスクセグメント１０２ｂ上の、円弧状の焦点軌道
１０７  電子ビーム１０５又はそのパルスシーケンスに晒された時に回転陽極ディスク１０２の陽極ターゲットによって放射され、且つ回転陽極１０２の傾斜角の大きさに依存する開口角を有する視野を持つ、円錐状Ｘ線ビーム
１０８  回転陽極の回転軸１０９に垂直な平面に対して相異なる傾斜角だけ傾斜された任意数の円錐陽極セグメントを有するマルチセグメント構造の回転体によって与えられる幾何学形態を有する、本発明の第２の典型的な実施形態に従った回転マルチターゲット陽極（各々が異なる傾斜角を有する５つの円錐陽極セグメントを備えた回転陽極が例示的に描写される）
１０８ａ  回転マルチターゲット陽極１０８の１つの円錐陽極セグメントのＸ線放射面（“陽極ターゲット”とも称する）
１０８ｂ  回転マルチターゲット陽極１０８の他の１つの円錐陽極セグメントのＸ線放射面（“他の陽極ターゲット”とも称する）
１０９  回転マルチターゲット陽極１０８の回転軸
１１０  回転マルチターゲット陽極１０８の陽極ターゲット（例えば、１０８ａ又は１０８ｂ）上の焦点スポットの位置（例えば、１１１ａ又は１１１ｂ）に電子ビーム１０５を集め、且つ／或いは回転マルチターゲット陽極１０８の半径方向に電子ビーム１０５を逸らすための電界及び／又は磁界を生成する結合された集束・偏向ユニット
１１１ａ  回転マルチターゲット陽極１０８の陽極ターゲット１０８ａ上の焦点スポット位置
１１１ｂ  焦点スポット位置１１１ａ及び陰極１０４によって放出される電子ビームに晒され得る陽極表面上のその他全ての焦点スポット位置と等しい大きさである、回転マルチターゲット陽極１０８の陽極ターゲット１０８ｂ上の焦点スポット位置
１１２ａ  電子ビーム１０５に晒されている時に回転マルチターゲット陽極１０８の陽極ターゲット１０８ａによって放射され、且つ回転マルチターゲット陽極１０８の陽極ターゲット１０８ａが位置する陽極セグメントの傾斜角の大きさに依存する開口角を有する視野を持つ、円錐状Ｘ線ビーム
１１２ｂ  電子ビーム１０５に晒されている時に回転マルチターゲット陽極１０８の陽極ターゲット１０８ｂによって放射され、且つ回転マルチターゲット陽極１０８の陽極ターゲット１０８ｂが位置する陽極セグメントの傾斜角の大きさに依存する開口角を有する視野を持つ、円錐状Ｘ線ビーム
２００  入射電子ビーム１０５の方向に垂直な平面に対して傾斜された陽極のＸ線放射面１０２’上の陽極ターゲットの焦点スポット１０６に入射する電子ビーム１０５に晒されたときの、回転陽極ディスク１０２によって放射されるＸ線ビーム１０７の角度的な放射場サイズβに対する、陽極の傾斜角αの影響を示す模式図
３００ａ＋ｂ  得られる視野の角度サイズβ、物理的な焦点軌道の幅、及び達成可能な出力定格に対する回転陽極の傾斜角αの影響を示す２つの模式図
α  回転陽極のＸ線放射面１０２’の傾斜角
β  回転陽極ディスク１０２の陽極ターゲット１０２’によって放射される円錐状Ｘ線ビーム１０７の角度的な放射場サイズ
ν  Ｘ線ビーム１０７が検出されることが可能な視角
ψ  回転軸１０３ａの周りを回転するときの回転陽極１０２の回転角
Ψ  視角νの“制限（reserve）”角度
【図１】
0005647607.tif 000002
【図２】
0005647607.tif 000003
【図３】
0005647607.tif 000004
【図４】
0005647607.tif 000005
【図５】
0005647607.tif 000006